(57)【要約】【課題】  画像形成装置の稼働部が作動を停止しているスタンバイ状態を自動的に検知して、同状態における画像形成装置の騒音レベルを低減する。【解決手段】  機器の振動を検出する振動検出センサ１と、前記機器内部を冷却する冷却ファン３と、冷却ファンを制御する制御手段５（制御用ＡＳＩＣ）とを備え、稼働中の機内の冷却を行う冷却ファン制御装置である。前記振動検出センサ１により検知した振動レベルが予め定めた振動レベルに達したか否かを判断し、前記振動レベルの判断結果に基づいて、前記機器がスタンバイ状態か否かを判断する。前記制御手段５は、機器がスタンバイ状態にあると判断されたとき、前記冷却ファン１１を停止又はその回転を低減するよう制御することを特徴とする。【選択図】図２
2009210665.tif 000002
【特許請求の範囲】
【請求項１】
機器の振動を検出する振動センサと、前記機器内部を冷却する冷却ファンと、冷却ファンを制御する制御手段とを備え、稼働中の機内の冷却を行う冷却ファン制御装置において、
前記振動センサにより検知した振動レベルが予め定めた振動レベルに達したか否かを判断する振動レベル判断手段と、
前記振動レベル判断手段の判断結果に基づいて、前記機器がスタンバイ状態か否かを判断するスタンバイ判断手段と、を備え、
前記制御手段は、前記スタンバイ判断手段によりスタンバイ状態にあると判断されたとき、前記冷却ファンを停止又はその回転を低減するよう制御することを特徴とする冷却ファン制御装置。
【請求項２】
機器の振動を検出する振動センサと、前記機器内部を冷却する冷却ファンと、冷却ファンを制御する手段とを備え、稼働中の機内の冷却を行う冷却ファン制御装置において、
前記振動センサにより検知した振動レベルが予め定めた振動レベルに達したか否かを判断する振動レベル判断手段と、
前記振動レベル判断手段の判断結果に基づいて、前記機器がスタンバイ状態か否かを判断するスタンバイ判断手段と、を備え、
前記冷却ファンを制御する手段は、前記スタンバイ判断手段により前記機器がスタンバイ状態と判断されたとき、前記冷却ファンをスタンバイ状態開始から所定時間後に停止又はその回転を低減するよう制御することを特徴とする冷却ファン制御装置。
【請求項３】
請求項２に記載された冷却ファン制御装置において、
前記所定時間中は、前記冷却ファンの回転を、稼働中のそれより上昇させることを特徴とする冷却ファン制御装置。
【請求項４】
機器の振動を検出する振動センサと、前記機器内部の温度を検知する温度センサと、前記機器内部を冷却する冷却ファン、冷却ファンを制御する制御手段とを備え、稼働中の機内の冷却を行う冷却ファン制御装置において、
前記振動センサにより検知した振動レベルが予め定めた振動レベルに達したか否かを判断する振動レベル判断手段と、
前記振動レベル判断手段の判断結果に基づいて、前記機器がスタンバイ状態にあるか否かを判断するスタンバイ判断手段と、
前記温度センサによって検知した検知温度が予め定めた設定温度に達したか否かを判断する温度レベル判断手段と、を備え、
前記制御手段は、前記スタンバイ判断手段により前記機器がスタンバイ状態にあると判断されたとき、前記温度レベル判断手段の結果に基づき、直ちに又は所定時間後に前記冷却ファンを停止又はその回転を低減することを特徴とする冷却ファン制御装置。
【請求項５】
請求項４に記載された冷却ファン制御装置において、
前記所定時間中は、前記冷却ファンの冷却ファンの回転を機器稼働中のそれよりも高くすることを特徴とする冷却ファン制御装置。
【請求項６】
機器の振動を検出する振動センサと、前記機器内部の温度を検知する温度センサと、前記機器内部を冷却する冷却ファン、冷却ファンを制御する制御手段と、を備え稼働中の機内の冷却を行う冷却ファン制御装置において、
前記振動センサにより検知した振動レベルが予め定めた振動レベルに達したか否かを判断する振動レベル判断手段と、
前記振動レベル判断手段の判断結果に基づいて、前記機器がスタンバイ状態にあるか否かを判断するスタンバイ判断手段と、
前記温度センサによって検知した検知温度が予め定めた設定温度に達したか否かを判断する温度レベル判断手段と、
前記制御手段は、前記機器がスタンバイ状態にあると判断されたとき、前記温度レベル判断手段の結果に基づき、直ちに又は機器内部の温度が所定温度に低下するまで前記冷却ファンの回転を稼働中のそれよりも高くさせた後に、前記冷却ファンを停止又はその回転を低減することを特徴とする冷却ファン制御装置。
【請求項７】
請求項１ないし６のいずれかに記載された冷却ファン制御装置を備えた画像形成装置。
【請求項８】
機器の振動を検出する振動検出工程と、前記機器内部を冷却する冷却ファンを制御する制御工程を有する稼働中の機内の冷却を行う冷却ファン制御方法において、
前記振動検出工程で検知した振動レベルが予め定めた振動レベルに達したことを判断する振動レベル判断工程と、
前記振動レベル判断工程での判断結果に基づいて、前記機器がスタンバイ状態にあるか否かを判断するスタンバイ判断工程と、を有し、
前記制御工程は、機器がスタンバイ状態にあると判断されたとき、前記冷却ファンを停止又はその回転を低減するよう制御することを特徴とする冷却ファン制御方法。
【請求項９】
機器の振動を検出する振動検出工程と、前記機器内部を冷却する冷却ファンを制御する制御工程を有する稼働中の機内の冷却を行う冷却ファン制御方法において、
前記振動センサにより検知した振動レベルが予め定めた振動レベルに達したか否かを判断する振動レベル判断工程と、
前記振動レベル判断手段の判断結果に基づいて、前記機器がスタンバイ状態か否かを判断するスタンバイ判断工程と、を備え、
前記制御工程は、前記スタンバイ判断工程により前記機器がスタンバイ状態と判断されたとき、前記冷却ファンをスタンバイ状態開始から所定時間後に停止又はその回転を低減するよう制御することを特徴とする冷却ファン制御方法。
【請求項１０】
請求項９に記載された冷却ファン制御方法において、
前記所定時間中は、前記冷却ファンの回転を、稼働中のそれより高くすることを特徴とする冷却ファン制御方法。
【請求項１１】
機器の振動を検出する振動検出工程と、前記機器内部の温度を検知する工程と、前記機器内部を冷却する冷却ファン、冷却ファンを制御する制御工程を有する稼働中の機内の冷却を行う冷却ファン制御方法において、
前記振動センサにより検知した振動レベルが予め定めた振動レベルに達したか否かを判断する振動レベル判断工程と、
前記振動レベル判断工程の判断結果に基づいて、前記機器がスタンバイ状態にあるか否かを判断するスタンバイ判断工程と、
前記温度センサによって検知した検知温度が予め定めた設定温度に達したか否かを判断する温度レベル判断工程と、を有し、
前記制御工程は、前記機器がスタンバイ状態にあると判断されたとき、前記温度レベル判断工程の結果に基づき、直ちに又は所定時間後に前記冷却ファンを停止又はその回転を低減することを特徴とする冷却ファン制御方法。
【請求項１２】
請求項１１に記載された冷却ファン制御方法において、
前記所定時間中は、前記冷却ファンの回転を稼働中のそれより高くすることを特徴とする冷却ファン制御方法。
【請求項１３】
機器の振動を検出する振動検出工程と、前記機器内部の温度を検知する工程と、前記機器内部を冷却する冷却ファン、冷却ファンを制御する制御工程と、を備え稼働中の機内の冷却を行う冷却ファン制御方法において、
前記振動センサにより検知した振動レベルが予め定めた振動レベルに達したか否かを判断する振動レベル判断工程と、
前記振動レベル判断工程の判断結果に基づいて、前記機器がスタンバイ状態にあるか否かを判断するスタンバイ判断工程と、
前記温度検出工程によって検知した検知温度が予め定めた設定温度に達したか否かを判断する温度レベル判断工程と、を備え、
前記制御工程は、前記機器がスタンバイ状態にあると判断されたとき、前記温度レベル判断工程の結果に基づき、直ちに又は前記冷却ファンの回転を上昇させ、機器内部の温度が所定温度に達しなくなったとき前記冷却ファンを停止又はその回転を低減することを特徴とする冷却ファン制御装置。
【請求項１４】
コンピュータを、請求項１ないし８のいずれかに記載された冷却ファン制御装置における冷却制御を行うための各手段として機能させるためのプログラム。
【請求項１５】
請求項１４に記載されたプログラムを記録したコンピュータ読み取り可能な記録媒体。
【発明の詳細な説明】
【技術分野】
【０００１】
本発明は、冷却ファンを備えた冷却ファン制御装置、冷却ファン制御装置を備えた画像形成装置、冷却ファン制御方法、冷却ファン制御のためのプログラム及び同プログラムを記録した記録媒体に関する。
【背景技術】
【０００２】
近年、機器、例えば、画像形成装置を例に採ると、その印刷等の処理の高速化に伴い、画像形成装置内部に備えた発熱体の数が増加している。また、画像形成装置は小型化を達成するためその構成部品は高密度化しており、それに伴い、画像形成装置内部の気流設計の最適化が困難になっている。このような状況から、画像形成装置の内部は熱がこもりやすくなっている。
【０００３】
画像形成装置の内部にこもった熱は、トナーの変質（溶融、固着）、電子部品の誤作動等を引き起こす虞がある。
そのため画像形成装置は、画像形成装置内部にこもった熱を強制的に排出するために、冷却ファンを備えることが多い。
【０００４】
この冷却ファンはファンが回転することにより風切り音が発生し、その音は特に画像形成装置のスタンバイ状態の時における騒音レベルが増大する原因となる。
スタンバイ状態では、画像形成装置のモータ、クラッチ、アクチュエータ等の稼働部における動作が停止しているため、稼動部で発生する騒音はなく、冷却ファンの騒音が画像形成装置全体の騒音レベルに対して最も大きなウエートを占める。
したがって、画像形成装置のスタンバイ状態における騒音レベルを低減するためには、冷却ファンの回転を停止もしくは回転数を低下させることが必要である。
【０００５】
ところで、近年の画像形成装置は、多機能を実現するためハードウェアの構成・ソフトウェアの構成が非常に複雑であり、例えば、ＣＰＵを搭載した制御ボードが複数搭載されており、これらの制御ボードが独立して作動することにより、様々な機能を実現している。このような複数の制御ボードが搭載された画像形成装置は、各制御ボードが独立して動作するため、プログラムによりソフト的に各稼働部の稼働状況を判断することが難しい。つまり、画像形成装置はプログラムによりソフト的に画像形成装置のスタンバイ状態を判断することが非常に難しく、したがって、画像形成装置のスタンバイ状態をプログラムによりソフト的に検知し、冷却ファンを制御することは困難である。
【０００６】
そのため、従来の冷却方式では、画像形成装置の稼働状況を考慮せずに、画像形成装置に備えられた冷却ファンの回転数を常に一定に維持をして冷却を行っている。
この場合、冷却ファンの回転数を低速回転で維持をした場合は、画像形成装置のスタンバイ状態における騒音レベルは低減するが、画像形成装置内部の冷却効率も低下する。
また、冷却ファンの回転数を高速回転で維持をした場合は、画像形成装置内部の冷却効率は向上するが、画像形成装置のスタンバイ状態における騒音レベルが増大する。
【０００７】
図４７は、縦軸に騒音レベルをかつ横軸に時間をとり、従来の冷却方式における画像形成装置の騒音レベルの時間変化を示すグラフである。
このグラフから明らかなように、画像形成装置の騒音レベルは、画像形成装置が稼働している間は高い値を示すが、画像形成装置がスタンバイ状態に移行したときに急に低下をしている。この騒音レベルの低下は、画像形成装置稼働部の停止によるものである。
図４８は、縦軸に画像形成装置内部の温度レベルをまた横軸に時間をとり、同冷却方式における画像形成装置内部おける温度レベルの時間変化を示すグラフである。冷却ファンの回転数を常に一定に維持をして冷却を行っているため、画像形成装置がスタンバイ状態に移行したときの画像形成装置内部の温度レベルは一定の割合で減少している。
図４９は、縦軸に冷却ファンの回転数をまた横軸に時間とり、同冷却方式における冷却ファン回転数の時間変化を示すグラフである。従来冷却方式では、冷却ファンの回転数を一定に維持しているため、冷却ファンの回転数は時間によらず一定に維持がされている。
このように従来の冷却方式では、冷却ファンの回転数が常に一定であるため、画像形成装置のスタンバイ状態においても騒音が発生する問題がある。また、冷却ファンの回転数が高くなると、風切り音が増大し騒音レベルが高くなる問題がある。
【０００８】
また、従来の他の冷却ファンによる冷却方式として、画像形成装置に温度センサを備え、これにより画像形成装置内部の温度を検出し、画像形成装置内部の温度が所定の温度を超えるときは冷却ファンを高速に回転制御し、画像形成装置内部の温度が所定の温度に達していなければ、低速回転または回転を停止することによって冷却ファンを制御して内部の温度を制御する機能を有する画像形成装置が知られている(特許文献１参照)。
【０００９】
図５０は、縦軸に騒音レベルをまた横軸に時間をとり、上記画像形成装置における騒音レベルの時間変化を示すグラフである。
画像形成装置の騒音レベルは、画像形成装置が稼働している間は高い値を示すが、画像形成装置がスタンバイ状態に移行したときに急に低下をしている。この騒音レベルの低下は、画像形成装置稼働部の停止によるものである。スタンバイ状態に移行した後の騒音レベルは、上記従来冷却方式と同様に冷却ファンの騒音と考えることができる。また、画像形成装置内部の温度が所定の温度（閾値）に達しなくなったときに、冷却ファンの回転が低回転または停止に制御するため、画像形成装置の騒音レベルは低下をしている。
【００１０】
図５１は、縦軸に画像形成装置内部の温度レベルをまた横軸に時間をとり、上記画像形成装置内部おける温度レベルの時間変化を示すグラフである。冷却ファンの回転数は、画像形成装置内部の温度レベルが所定の温度レベル以下になるまで稼働時と同じ回転数を維持しているため、画像形成装置がスタンバイ状態になったときから所定温度（閾値）以下になるまで、温度レベルは一定の割合で減少している。そして、画像形成装置内部の温度レベルが閾値以下になったときに、画像形成装置は冷却ファンの回転数を停止または低回転に制御するため、画像形成装置内部における温度レベルの低下割合は減少する。
【００１１】
図５２は、縦軸に冷却ファンの回転数をまた横軸に時間とり、上記画像形成装置における冷却ファン回転数の時間変化を示すグラフである。上記装置では、冷却ファンの回転数を所定温度以下になるまで一定に維持をしている。画像形成装置内部の温度レベルが閾値以下になった後は、冷却ファンの回転を停止または低回転に制御するため、冷却ファンの回転数は低下している。
以上説明したように、特許文献１に記載された画像形成装置では、画像形成装置の動作が停止しているスタンバイ状態にあるとき、画像形成装置内部の温度が低下するまでは冷却ファンの回転により発生する騒音が残る問題がある。また、画像形成装置はそもそもスタンバイ状態を自動的に判断する手段を備えていないため、スタンバイ状態に移行した後に速やかに冷却ファンを停止するということはできない。
【特許文献１】特開２００６−２２７５５９号公報
【発明の開示】
【発明が解決しようとする課題】
【００１２】
本発明は、上記従来の問題を解決するためになされたもので、その目的は、画像形成装置の稼働部が作動を停止しているスタンバイ状態を自動的に検知して、同状態における画像形成装置の騒音レベルを低減することである。
【課題を解決するための手段】
【００１３】
第１の発明は、機器の振動を検出する振動センサと、前記機器内部を冷却する冷却ファンと、冷却ファンを制御する制御手段とを備え、稼働中の機内の冷却を行う冷却ファン制御装置において、前記振動センサにより検知した振動レベルが予め定めた振動レベルに達したか否かを判断する振動レベル判断手段と、前記振動レベル判断手段の判断結果に基づいて、前記機器がスタンバイ状態か否かを判断するスタンバイ判断手段と、を備え、前記制御手段は、前記スタンバイ判断手段によりスタンバイ状態にあると判断されたとき、前記冷却ファンを停止又はその回転を低減するよう制御することを特徴とする。
第２の発明は、機器の振動を検出する振動センサと、前記機器内部を冷却する冷却ファンと、冷却ファンを制御する手段とを備え、稼働中の機内の冷却を行う冷却ファン制御装置において、前記振動センサにより検知した振動レベルが予め定めた振動レベルに達したか否かを判断する振動レベル判断手段と、前記振動レベル判断手段の判断結果に基づいて、前記機器がスタンバイ状態か否かを判断するスタンバイ判断手段と、を備え、前記冷却ファンを制御する手段は、前記スタンバイ判断手段により前記機器がスタンバイ状態と判断されたとき、前記冷却ファンをスタンバイ状態開始から所定時間後に停止又はその回転を低減するよう制御することを特徴とする。
第３の発明は、機器の振動を検出する振動センサと、前記機器内部の温度を検知する温度センサと、前記機器内部を冷却する冷却ファン、冷却ファンを制御する制御手段とを備え、稼働中の機内の冷却を行う冷却ファン制御装置において、前記振動センサにより検知した振動レベルが予め定めた振動レベルに達したか否かを判断する振動レベル判断手段と、前記振動レベル判断手段の判断結果に基づいて、前記機器がスタンバイ状態にあるか否かを判断するスタンバイ判断手段と、前記温度センサによって検知した検知温度が予め定めた設定温度に達したか否かを判断する温度レベル判断手段と、を備え、前記制御手段は、前記スタンバイ判断手段により前記機器がスタンバイ状態にあると判断されたとき、前記温度レベル判断手段の結果に基づき、直ちに又は所定時間後に前記冷却ファンを停止又はその回転を低減することを特徴とする。
第４の発明は、機器の振動を検出する振動センサと、前記機器内部の温度を検知する温度センサと、前記機器内部を冷却する冷却ファン、冷却ファンを制御する制御手段と、を備え稼働中の機内の冷却を行う冷却ファン制御装置において、前記振動センサにより検知した振動レベルが予め定めた振動レベルに達したか否かを判断する振動レベル判断手段と、前記振動レベル判断手段の判断結果に基づいて、前記機器がスタンバイ状態にあるか否かを判断するスタンバイ判断手段と、前記温度センサによって検知した検知温度が予め定めた設定温度に達したか否かを判断する温度レベル判断手段と、前記制御手段は、前記機器がスタンバイ状態にあると判断されたとき、前記温度レベル判断手段の結果に基づき、直ちに又は機器内部の温度が所定温度に低下するまで前記冷却ファンの回転を稼働中のそれよりも高くさせた後に、前記冷却ファンを停止又はその回転を低減することを特徴とする。
第５の発明は、機器の振動を検出する振動検出工程と、前記機器内部を冷却する冷却ファンを制御する制御工程を有する稼働中の機内の冷却を行う冷却ファン制御方法において、前記振動検出工程で検知した振動レベルが予め定めた振動レベルに達したことを判断する振動レベル判断工程と、前記振動レベル判断工程での判断結果に基づいて、前記機器がスタンバイ状態にあるか否かを判断するスタンバイ判断工程と、を有し、前記制御工程は、機器がスタンバイ状態にあると判断されたとき、前記冷却ファンを停止又はその回転を低減するよう制御することを特徴とする。
第６の発明は、機器の振動を検出する振動検出工程と、前記機器内部を冷却する冷却ファンを制御する制御工程を有する稼働中の機内の冷却を行う冷却ファン制御方法において、前記振動センサにより検知した振動レベルが予め定めた振動レベルに達したか否かを判断する振動レベル判断工程と、前記振動レベル判断手段の判断結果に基づいて、前記機器がスタンバイ状態か否かを判断するスタンバイ判断工程と、を備え、前記制御工程は、前記スタンバイ判断工程により前記機器がスタンバイ状態と判断されたとき、前記冷却ファンをスタンバイ状態開始から所定時間後に停止又はその回転を低減するよう制御することを特徴とする。
第７の発明は、機器の振動を検出する振動検出工程と、前記機器内部の温度を検知する工程と、前記機器内部を冷却する冷却ファン、冷却ファンを制御する制御工程を有する稼働中の機内の冷却を行う冷却ファン制御方法において、前記振動センサにより検知した振動レベルが予め定めた振動レベルに達したか否かを判断する振動レベル判断工程と、前記振動レベル判断工程の判断結果に基づいて、前記機器がスタンバイ状態にあるか否かを判断するスタンバイ判断工程と、前記温度センサによって検知した検知温度が予め定めた設定温度に達したか否かを判断する温度レベル判断工程と、を有し、前記制御工程は、前記機器がスタンバイ状態にあると判断されたとき、前記温度レベル判断工程の結果に基づき、直ちに又は所定時間後に前記冷却ファンを停止又はその回転を低減することを特徴とする。
第８の発明は、機器の振動を検出する振動検出工程と、前記機器内部の温度を検知する工程と、前記機器内部を冷却する冷却ファン、冷却ファンを制御する制御工程と、を備え稼働中の機内の冷却を行う冷却ファン制御方法において、前記振動センサにより検知した振動レベルが予め定めた振動レベルに達したか否かを判断する振動レベル判断工程と、前記振動レベル判断工程の判断結果に基づいて、前記機器がスタンバイ状態にあるか否かを判断するスタンバイ判断工程と、前記温度検出工程によって検知した検知温度が予め定めた設定温度に達したか否かを判断する温度レベル判断工程と、を備え、前記制御工程は、前記機器がスタンバイ状態にあると判断されたとき、前記温度レベル判断工程の結果に基づき、直ちに又は前記冷却ファンの回転を上昇させ、機器内部の温度が所定温度に達しなくなったとき前記冷却ファンを停止又はその回転を低減することを特徴とする。
第９の発明は、コンピュータを、冷却ファン制御装置における冷却制御を行うための各手段として機能させるためのプログラムである。
第１０の発明は、上記プログラムを記録したコンピュータ読み取り可能な記録媒体である。
【発明の効果】
【００１４】
本発明によれば、画像形成装置の稼働部が作動を停止しているスタンバイ状態を自動的に検知して、スタンバイ状態における騒音の主な原因である冷却ファンの回転制御を行うことによって、画像形成装置の騒音レベルを低減することができるため、静寂な環境下において画像形成装置を使用したとき、画像形成装置の騒音による不快感を低減することができる。
【発明を実施するための最良の形態】
【００１５】
（第一の実施形態）
以下、本発明の第一の実施形態に係る冷却ファン制御装置を、添付図面を参照して説明する。
図１は、振動センサに基づいてスタンバイ状態を判断し、冷却ファンを制御するための冷却ファン制御装置のブロック図である。
本実施形態に係る冷却ファン制御装置は、振動センサ１と、冷却ファン制御部２と、冷却ファン３から成っている。
振動センサ１は、画像形成装置が稼働するときに発生する振動を検出できる適宜の位置に配置され、それが稼動するときに発生する振動に基づいて、振動レベルを検出する。冷却ファン制御部２は、振動センサからの情報に基づいて冷却ファン３の動作を制御する。冷却ファン３は、画像形成装置内部にこもった熱気を画像形成装置外に排気し、またＣＰＵ等、発熱体に風を当てることで画像形成装置内部を冷却する。
【００１６】
図２は、図１に示す冷却ファン制御装置を画像形成装置のコントローラに接続した場合の構成を示すブロック図である。
図１の冷却ファン制御部２は、制御用ＡＳＩＣ（Application Specific IC）５のプロセッサで実現することができ、制御用ＡＳＩＣは、振動センサ１の検知信号を受信するための入力ポート６と、冷却ファンＯＮ／ＯＦＦ回路１１へ信号を送信する出力ポート７を備えている。また、制御用ＡＳＩＣ５はＣＰＵ（Central Processing Unit）４、振動センサ１、ＲＯＭ８、ＲＡＭ９、エンジンインターフェース１０、冷却ファンＯＮ／ＯＦＦ回路１１、ＨＯＳＴインターフェース１２、冷却ファンＯＮ／ＯＦＦ回路１１を通して冷却ファン３に接続されている。
【００１７】
ここで、ＣＰＵ４は、画像形成装置全体を制御する制御手段でありプログラムを実行する。ＲＯＭ８は不揮発性メモリであり、ＣＰＵ４が実行するプログラム等が記憶されている。ＲＡＭ９はメモリであり、画像データ等を一時的に記憶する。
エンジンインターフェース１０は、図示しない画像出力を実行するエンジン部との接続を行うインターフェースである。
ＨＯＳＴインターフェース１２は、ＰＣ（Personal Computer）等との接続を行うインターフェースである。
冷却ファンＯＮ／ＯＦＦ回路１１は、冷却ファン３への電力供給を行う切換回路である。
【００１８】
制御用ＡＳＩＣ５は図示しないプロセッサを有し、このプロセッサとメモリ（ＲＯＭ８、ＲＡＭ９）とからなるコンピュータは、ＲＯＭ８に格納されたプログラムを実行することで、振動センサで検出した振動レベルが所定の振動レベル（閾値）に達しているか否かを判断する振動レベル判断手段と、振動レベル判断手段の判断結果に基づいて画像形成装置が稼働状態かスタンバイ状態かを判断するスタンバイ判断手段と、冷却ファンの動作を制御する制御手段として機能することができる。
【００１９】
本実施形態は、画像形成装置のモータ、クラッチ、アクチュエータ等の稼働部が作動している稼働状態のときは、画像形成装置の稼働部による騒音が発生すると共に、必ず振動が発生し、一方、画像形成装置がスタンバイ状態であるときは、画像形成装置に振動が発生しないか、もしくは極めて低く抑えられていることを利用して、振動センサ１により画像形成装置の振動レベルを検出し、それによって画像形成装置が稼動状態かスタンバイ状態かを検知するものである。
【００２０】
本実施形態では、振動センサ１を制御用ＡＳＩＣ５の入力ポート６に接続することで、振動センサ１の検知した振動レベル情報に基づき、ＲＯＭ８に格納されたプログラムにより制御用ＡＳＩＣ５のプロセッサ（スタンバイ判断手段）がソフト的に画像形成装置が稼働状況と判断する。
また、制御用ＡＳＩＣ５の出力ポート７に冷却ファンＯＮ／ＯＦＦ回路１１を接続することで、制御用ＡＳＩＣ５のプロセッサ（制御手段）は、出力ポート７から冷却ファン
ＯＮ／ＯＦＦ回路１１に制御命令を送信してソフト的に冷却ファン３の制御を行うことができ、画像形成装置の騒音レベルを低減することができる。
【００２１】
図３は、本実施形態に係る冷却ファン制御装置における冷却ファンの制御の手順を示すフロー図である。
図３において、振動センサにより振動レベルを検出すると（Ｓ１０１）、スタンバイ判断手段は検出した振動レベルが所定の値即ち閾値に達しているか否か判断をする（Ｓ１０２）。ステップＳ１０２において、スタンバイ判断手段は、振動センサの検出値が上記振動レベルの閾値に達している、つまり稼働中と判断したときは（Ｓ１０２：ＮＯ）、上記制御手段は冷却ファンを高速回転するよう制御する（Ｓ１０３）。またステップＳ１０２において、画像形成装置の動作が停止し、スタンバイ状態になると画像形成装置の振動は発生しなくなるため、振動センサの検出値は振動レベルの閾値以下となり（Ｓ１０２：ＹＥＳ）、上記スタンバイ判断手段は、画像形成装置がスタンバイ状態にあると判断し、制御手段は、冷却ファンを停止もしくは低速回転制御する（Ｓ１０４）。
【００２２】
図４は、画像形成装置の騒音レベルの時間変化を示すグラフである。画像形成装置の騒音レベルは、画像形成装置が稼働状態のときは高い値を示すが、画像形成装置がスタンバイ状態に移行したときに急に騒音レベルが低下し、殆ど騒音は発生していない。この騒音レベルの低下は、画像形成装置の稼働部の停止及び、画像形成装置がスタンバイ状態に移行後、制御手段が冷却ファンの停止または低速回転制御を行ったことによる。
【００２３】
図５は、画像形成装置の振動レベルの時間変化を示すグラフである。画像形成装置の振動レベルは、画像形成装置が稼働状態のときは高い値を示すが、画像形成装置がスタンバイ状態に移行したときに急に振動レベルは低下をし、殆ど振動は発生していない。この振動レベルの低下は、画像形成装置稼働部が停止してスタンバイ状態に移行後、制御手段が冷却ファンの停止または低速に回転制御したことによる。
振動センサからの情報に基づいて画像形成装置のスタンバイ状態を判断する振動レベルの所定値（閾値）は、メモリ（例えばＲＡＭ９）に設定されており、制御手段がこの閾値を境にして冷却ファンのＯＮ／ＯＦＦ回路の切り替えを行い、冷却ファンの制御をする。
【００２４】
図６は、画像形成装置内部の温度レベルの時間変化を示すグラフである。画像形成装置内部の温度レベルは、画像形成装置がスタンバイ状態に移行した後は発熱体により発生する熱が減少するため、画像形成装置がスタンバイ状態に移行したときから、一定の割合で緩やかに減少している。
【００２５】
図７は、本画像形成装置の冷却ファン回転数の時間変化を示すグラフである。冷却ファンは、画像形成装置がスタンバイ状態に移行したときに、停止または低速に回転制御される。したがって、画像形成装置がスタンバイ状態に移行した後は、制御手段が冷却ファンの回転数を停止または低速に回転制御しているため低い値を示す。
【００２６】
本冷却ファン制御装置によれば、画像形成装置がスタンバイ状態になったときに制御手段が冷却ファンの回転数を停止もしくは低速に回転制御することにより、画像形成装置のスタンバイ状態時の騒音レベルを低減することができる。
【００２７】
（第二の実施形態）
本願発明の第二の実施形態に係る冷却ファン制御装置は、第一の実施形態に係る冷却ファン制御装置に加えタイマーを備えている。
図８は、本冷却ファン制御装置における冷却ファンの制御手順を示すフロー図である。
振動センサは、画像形成装置の振動レベルを検出すると（Ｓ２０１）、スタンバイ判断手段は、検出した振動レベルが閾値に達しているか否か判断をする（Ｓ２０２）。ステップＳ２０２において、スタンバイ判断手段が振動センサの検出値が振動レベル閾値に達していると判断したとき（Ｓ２０２：ＮＯ）、制御手段は冷却ファンを制御して高速回転させる（Ｓ２０３）。またステップＳ２０２において、画像形成装置の動作が停止し、スタンバイ状態になると画像形成装置の振動は発生しなくなるため、振動センサの検出値は振動レベル閾値以下になる（Ｓ２０２：ＹＥＳ）。それによって、スタンバイ判断手段がスタンバイ状態と判断すると、図示しないタイマーが起動し（Ｓ２０４）、所定時間（Ｔ）が経過するまで、冷却ファンの回転数を維持する（Ｓ２０５）。所定時間（Ｔ）の経過後（Ｓ２０５：ＹＥＳ）、制御手段は冷却ファンの回転数を停止もしくは低速に回転制御する（Ｓ２０６）。
【００２８】
本実施形態において、画像形成装置がスタンバイ状態に移行した後、直ぐに冷却ファンを停止もしくは低速に回転制御行わない理由は、画像形成装置が稼動状態からスタンバイ状態に移行した直後に冷却ファンを停止もしくは低速に回転制御すると、画像形成装置内部の発熱体はまだ高温状態であるため、冷却ファンの停止による画像形成装置内部の排熱能力低下に伴い、画像形成装置内部の温度レベルが上昇するからである。
したがって、本実施形態では、所定時間冷却ファンを回し続けるため、画像形成装置内部の温度上昇を抑制し、且つ、画像形成装置のスタンバイ状態のときの騒音レベルを低減することができる。
【００２９】
図９は、縦軸に騒音レベルをまた横軸に時間をとり、画像形成装置の騒音レベルの時間変化を示すグラフである。画像形成装置の騒音レベルは、画像形成装置が稼働状態のときは高い値を示すが、画像形成装置がスタンバイ状態に移行したときに急に低下をしている。この画像形成装置がスタンバイ状態に移行したときの騒音レベルの低下は、画像形成装置稼働部の停止によるものである。またスタンバイ状態に移行したときから所定時間（Ｔ）が経過した後の騒音レベルの低下は、画像形成装置冷却ファンの停止または低速に回転制御を行ったことによるものである。
【００３０】
図１０は、縦軸に振動レベルをまた横軸に時間をとり、画像形成装置の振動レベルの時間変化を示すグラフである。画像形成装置の振動レベルは、画像形成装置が稼働状態のときは高い値を示すが、画像形成装置がスタンバイ状態に移行したときに急に低下をしている。この画像形成装置がスタンバイ状態に移行したときの振動レベルの低下は、画像形成装置の稼働部の停止によるものである。またスタンバイ状態に移行したときから所定時間（Ｔ）が経過した後の振動レベルの低下は、画像形成装置冷却ファンの停止または低速に回転制御を行ったことによるものである。
なお、メモリ（ＲＡＭ９）には、振動センサからの情報に基づいて画像形成装置のスタンバイ状態を判断する振動レベルの所定値（閾値）が設定されており、制御手段は、この閾値を境にして冷却ファンのＯＮ／ＯＦＦ回路の切り替えを行い、冷却ファンの制御をする。
【００３１】
図１１は、縦軸に画像形成装置内部の温度レベルを、また横軸に時間をとり、画像形成装置内部おける温度レベルの時間変化を示すグラフである。画像形成装置内部の温度は、画像形成装置がスタンバイ状態に移行したときから所定時間（Ｔ）が経過するまでは、画像形成装置が稼働状態のときと同じ冷却ファンの回転数を一定に維持するため、一定の割合で減少している。また、スタンバイ状態に移行したときから所定時間（Ｔ）の経過後は、冷却ファンを停止または低速に回転制御するため、画像形成装置内部の温度の低下の割合は減少する。
また図１１の実線は、画像形成装置がスタンバイ状態へ移行したときに、冷却ファンを停止した場合の画像形成装置内部における温度レベルの変化を表している。制御手段がスタンバイ状態へ移行直後に冷却ファンを停止または低速に回転制御すると、画像形成装置内部の排熱能力が低下し、画像形成装置内部の温度レベルは上昇する。
【００３２】
図１２は縦軸に冷却ファン回転数をまた横軸に時間をとり、冷却ファン回転数の時間変化を示すグラフである。冷却ファンの回転数は、画像形成装置がスタンバイ状態へ移行後、所定時間（Ｔ）が経過するまでは、画像形成装置が稼働状態のときと同じ冷却ファンの回転数を一定に維持している。スタンバイ状態に移行したときから所定時間（Ｔ）の経過後は、制御手段が冷却ファンを停止または低速に回転制御するため、冷却ファンの回転数は低下している。
【００３３】
本実施形態によれば、制御手段がスタンバイ状態へ移行した直後に冷却ファンを停止したとき、排熱能力の低下が原因で生じる画像形成装置内部の温度レベルが上昇する問題を解決することができる。また、画像形成装置がスタンバイ状態へ移行したときから所定時間が経過したとき、制御手段は冷却ファンを停止または低速に回転制御する。この制御によって、画像形成装置がスタンバイ状態のときにおける騒音レベルを低減することができる。
【００３４】
（第三の実施形態）
本願発明の第三の実施形態に係る冷却ファン制御装置は、第二の実施形態に係る冷却ファン制御装置と同様である。
図１３は、本冷却ファン制御装置における冷却ファンの制御の手順を示すフロー図である。
振動センサにより本画像形成装置の振動レベルを検出する（Ｓ３０１）。  つぎにスタンバイ判断手段は、検出した振動レベルが閾値に達しているか否かを判断する（Ｓ３０２）。ステップＳ３０２において、スタンバイ判断手段が、振動センサの検出値が振動レベル閾値に達していると判断したときは（Ｓ３０２：ＮＯ）、制御手段は冷却ファンを高速回転で制御する（Ｓ３０３）。またステップＳ３０２において、画像形成装置の動作が停止すると、振動センサの検出値は振動レベル閾値以下になり、スタンバイ判断手段がスタンバイ状態と判断すると（Ｓ３０２：ＹＥＳ）、制御手段は冷却ファンの回転数を稼働状態のときよりも高く制御し（Ｓ３０４）、タイマーを初期化してスタート即ち起動する（Ｓ３０５）。タイマーが所定時間（Ｔ）経過を検出したとき（Ｓ３０６：ＹＥＳ）、制御手段は冷却ファンの回転数を停止もしくは低速に回転制御する（Ｓ３０７）。
【００３５】
図１４は、縦軸に騒音レベルをまた横軸に時間をとり、本実施形態における画像形成装置の騒音レベルの時間変化を示すグラフである。画像形成装置の騒音レベルは、画像形成装置が稼働状態のときは高い値を示すが、画像形成装置がスタンバイ状態に移行したときに急に低下をしている。この画像形成装置がスタンバイ状態に移行したときの騒音レベルの低下は、画像形成装置稼働部の停止によるものである。またスタンバイ状態に移行したときから所定時間（Ｔ）が経過した後の騒音レベルの低下は、制御手段による冷却ファンの停止または低速回転制御によるものである。
【００３６】
図１５は、縦軸に振動レベルをまた横軸に時間をとり、本実施形態における画像形成装置の振動レベルの時間変化を示すグラフである。画像形成装置の振動レベルは、画像形成装置が稼働状態のときは高い値を示すが、画像形成装置がスタンバイ状態に移行したときに急に低下している。この画像形成装置がスタンバイ状態に移行したときの振動レベルの低下は、画像形成装置稼働部の停止によるものである。また、スタンバイ状態に移行したときから所定時間（Ｔ）が経過した後の振動レベルの低下は、制御手段の冷却ファンの停止または低速回転制御によるものである。制御手段は、閾値を境にして冷却ファンのＯＮ／ＯＦＦ回路の切り替えを行い、冷却ファンの回転制御をする。
【００３７】
図１６は、縦軸に画像形成装置内部の温度レベルをまた横軸に時間をとり、本実施形態における画像形成装置内部おける温度レベルの時間変化を示すグラフである。画像形成装置内部の温度レベルは、画像形成装置がスタンバイ状態に移行したときから所定時間（Ｔ）が経過するまでは、冷却ファンの回転数を画像形成装置が稼働状態のときよりも高速回転で制御をするため、大きく減少している。スタンバイ状態に移行してから所定時間（Ｔ）の経過後は、制御手段が冷却ファンを停止または低速に回転制御するため、画像形成装置内部の温度レベルの低下割合は減少する。
図１６の実線は、画像形成装置がスタンバイ状態に移行したときに、冷却ファンの回転数を画像形成装置が稼働状態のときよりも高くしない場合の画像形成装置内部の温度レベルの変化を表している。制御手段がスタンバイ状態へ移行直後に冷却ファンの回転を稼働状態よりも高くしない場合、画像形成装置内部の温度レベルの減少は緩やかである。
【００３８】
図１７は、縦軸に冷却ファンの回転数をまた横軸に時間をとり、冷却ファン回転数の時間変化を示すグラフである。本実施形態では、冷却ファンの回転数は画像形成装置がスタンバイ状態になってから所定時間（Ｔ）が経過するまで、画像形成装置が稼働状態のときよりもさらに高速回転で制御をしている。スタンバイ状態に移行してから所定時間（Ｔ）の経過後は、制御手段が冷却ファンを停止または低速に回転制御するため、冷却ファンの回転数は低下している。
【００３９】
本実施形態よれば、稼動状態からスタンバイ状態へ移行した直後から冷却ファン回転数をさらに高くすることで、第二の実施形態で示した効果に加え、さらに短時間で画像形成装置内部の冷却ができるため、より短い時間で冷却ファンを停止または低速に回転制御することができる。
【００４０】
（第四の実施形態）
以下、本発明の第四の実施形態に係る画像形成装置に適用した場合における冷却ファン制御装置を、添付図面を参照して説明する。
図１８は、図１に示す冷却ファン制御装置に、さらに画像形成装置内部の温度を検出する温度センサを付加した冷却ファン制御装置のブロック図である。
本実施形態に係る冷却ファン制御装置は、振動センサに基づいてそのスタンバイ状態を判断し、さらに温度センサに基づいて、画像形成装置内部の温度に応じて冷却ファンを制御する。
温度センサ１３は、画像形成装置内部の雰囲気温度の測定ができる適宜の位置に設定されており、例えば、発熱体の温度条件の所定がある部品の温度測定、画像形成装置内部の雰囲気温度の測定に使用される。
【００４１】
図１９は、図２に示した制御用ＡＳＩＣ５において、その入力ポート６に接続されている振動センサ１に加えてさらに温度センサ１３を設けた構成、つまり、画像形成装置のコントローラに図１８に示す冷却ファン制御装置を接続した構成を示すブロック図である。
この温度センサ１３を制御用ＡＳＩＣ５に付設することによって、冷却ファンを画像形成装置内部の温度に応じて制御することができる。
【００４２】
ここで、ＲＯＭ８に格納されたプログラムを実行することで、上記制御用ＡＳＩＣ５のプロセッサとメモリ（ＲＡＭ、ＲＯＭ）から成るコンピュータを、第一の実施形態に記載した各手段に加えて、さらに温度センサ１３で検出した温度が所定の温度に達したか否かを判断する温度レベル判断手段としても機能させることができる。
【００４３】
振動センサ１の情報及び、温度センサ１３の情報に基づいて、冷却ファン３の制御が行われる手順は、まず、振動センサ１の情報に基づきスタンバイ判断手段が画像形成装置の稼働状況を判断する。判断手段（制御用ＡＳＩＣ５）が画像形成装置をスタンバイ状態と判断したとき、温度センサ１３の温度情報に基づき、温度レベル判断手段は、画像形成装置内部の温度レベルが閾値に達し手いるか否かを判断し、その判断に基づき、制御手段は冷却ファンＯＮ／ＯＦＦ回路１１に制御の命令を出力ポート７より送信し、冷却ファン３の制御を行う。
【００４４】
つまり、本実施形態では、画像形成装置の構成に加えて振動センサ１と温度センサ１３を制御用ＡＳＩＣ５の入力ポート６に接続することで、ＲＯＭ８に格納されたプログラムを用いてソフト的に画像形成装置のスタンバイ状態と画像形成装置内部の温度状態を判断することができる。
【００４５】
図２０は、本冷却ファン制御装置における冷却ファン制御の手順を示すフローを示す。
本画像形成装置の動作をフロー図２０に沿って説明をする。
図２０において、振動センサにより振動レベルを検出する（Ｓ４０１）。次にスタンバイ判断手段は、検出した振動レベルが閾値に達しているか否か判断をする（Ｓ４０２）。ステップＳ４０２において、スタンバイ判断手段が、振動センサの検出値が上記振動レベル閾値に達していると判断したとき（Ｓ４０２：ＮＯ）、上記制御手段は冷却ファンを高速に回転制御する（Ｓ４０３）。またステップＳ４０２において、画像形成装置の動作が停止すると、画像形成装置の振動は発生しなくなるため、振動センサの検出値は振動レベル閾値以下となる（Ｓ４０２：ＹＥＳ）。ここで温度センサは画像形成装置内部の温度を検出し（Ｓ４０４）、温度レベル判断手段は、所定の温度レベル（閾値）に達したか否を判断する（Ｓ４０５）。ステップＳ４０５において温度レベル判断手段が画像形成装置内部の温度レベルが閾値以下であると判断したときは（Ｓ４０５：ＹＥＳ）、制御手段は、冷却ファンの回転数を停止もしくは低速に回転制御する（Ｓ４０６）。またステップＳ４０５において、画像形成装置内部の温度レベルが閾値に達しているとき（Ｓ４０５：ＮＯ）、即ちスタンバイ判断手段がスタンバイ状態と判断し、温度レベル判断手段が画像形成装置内部の温度が閾値に達したと判断したとき、タイマーを初期化してスタート、即ち起動して（Ｓ４０７）、所定時間（Ｔ）が経過するまで、冷却ファンの回転数を維持する（Ｓ４０８）。所定時間（Ｔ）の経過後（Ｓ４０８：ＹＥＳ）、制御手段は冷却ファンの回転数を停止もしくは低速に回転制御する（Ｓ４０６）。
【００４６】
図２１は縦軸に騒音レベルをまた横軸に時間をとり、稼働状態からスタンバイ状態に移行直後の画像形成装置で、画像形成装置内部の温度レベルが閾値に達しているときの画像形成装置における騒音レベルの時間変化を示すグラフである。画像形成装置の騒音レベルは、画像形成装置が稼働状態のときは高い値を示すが、画像形成装置がスタンバイ状態に移行したときに急に低下している。この画像形成装置がスタンバイ状態に移行したときの騒音レベルの低下は、画像形成装置稼働部の停止によるものである。またスタンバイ状態に移行してから所定時間（Ｔ）が経過した後の騒音レベルの低下は、制御手段による画像形成装置冷却ファンの停止または低速回転制御によるものである。
【００４７】
図２２は、縦軸に振動レベルをまた横軸に時間をとり、稼働状態からスタンバイ状態に移行直後の画像形成装置で、画像形成装置内部の温度レベルが閾値に達しているときの画像形成装置における振動レベルの時間変化を示すグラフである。画像形成装置の振動レベルは、画像形成装置が稼働状態のときは高い値を示すが、画像形成装置がスタンバイ状態に移行したときに急に低下している。この画像形成装置がスタンバイ状態に移行したときの振動レベルの低下は、画像形成装置稼働部の停止によるものである。また、スタンバイ状態に移行してから所定時間（Ｔ）が経過した後の振動レベルの低下は、冷却ファンの停止または低速回転制御によるものである。
またメモリには、振動センサからの情報に基づいて画像形成装置のスタンバイ状態を判断する振動レベルの所定値（閾値）が設定されている。
【００４８】
図２３は、縦軸に画像形成装置内部の温度レベルをまた横軸に時間をとり、稼働状態からスタンバイ状態に移行直後の画像形成装置で、画像形成装置内部の温度レベルが閾値に達しているときの画像形成装置内部における温度の時間変化を示すグラフである。画像形成装置内部の温度レベルは、画像形成装置がスタンバイ状態に移行したときから所定時間（Ｔ）が経過するまでは、冷却ファンの回転数を画像形成装置が稼働状態と同じ回転数に維持するため、一定の割合で減少している。スタンバイ状態に移行してから所定時間（Ｔ）の経過後は、画像形成装置が冷却ファンを停止または低速に回転制御するため、画像形成装置内部の温度レベルの低下割合は減少する。
また図２３の点線は、画像形成装置がスタンバイ状態へ移行したときに、冷却ファンを停止した場合の画像形成装置内部における温度レベルの変化を表している。制御手段がスタンバイ状態へ移行直後に冷却ファンを停止または低速に回転制御すると、画像形成装置内部の排熱能力が低下し、画像形成装置内部の温度レベルは上昇する。
【００４９】
図２４は、縦軸に冷却ファン回転数をまた横軸に時間をとり、稼働状態からスタンバイ状態に移行直後の画像形成装置で、画像形成装置内部の温度レベルが閾値に達しているときの冷却ファン回転数の時間変化を示すグラフである。冷却ファンの回転数は、画像形成装置がスタンバイ状態へ移行後、所定時間（Ｔ）が経過するまでは、画像形成装置が稼働状態のときと同じ冷却ファンの回転数を一定に維持している。スタンバイ状態に移行してから所定時間（Ｔ）の経過後は、画像形成装置が冷却ファンを停止または低速に回転制御するため、冷却ファンの回転数は低下している。
【００５０】
図２５は、縦軸に騒音レベルをまた横軸に時間をとり、稼働状態からスタンバイ状態に移行直後の画像形成装置で、画像形成装置内部の温度レベルが閾値に達していないときの画像形成装置における騒音レベルの時間変化を示すグラフである。画像形成装置の騒音レベルは、画像形成装置が稼働状態のときは高い値を示すが、画像形成装置がスタンバイ状態に移行したときに急に低下し、殆ど騒音は発生していない。この騒音レベルの低下は、画像形成装置の稼働部の停止及び、画像形成装置がスタンバイ状態に移行後、冷却ファンの停止または低速回転の制御を行ったことによる。
【００５１】
図２６は、縦軸に振動レベルをまた横軸に時間をとり、稼働状態からスタンバイ状態に移行直後の画像形成装置で、画像形成装置内部の温度レベルが閾値に達していないときの画像形成装置における振動レベルの時間変化を示すグラフである。画像形成装置の振動レベルは、画像形成装置が稼働状態のときは高い値を示すが、画像形成装置がスタンバイ状態に移行したときに急に低下し、殆ど振動は発生していない。この振動レベルの低下は、画像形成装置の稼働部の停止及び、画像形成装置がスタンバイ状態に移行後、冷却ファンの停止または低速回転の制御を行ったことによる。
【００５２】
図２７は、縦軸に画像形成装置内部の温度レベルをまた横軸に時間をとり、稼働状態からスタンバイ状態に移行直後の画像形成装置で、画像形成装置内部の温度レベルが閾値に達していないときの画像形成装置内部における温度レベルの時間変化を示すグラフである。画像形成装置内部の温度レベルは、画像形成装置がスタンバイ状態に移行したときから冷却ファンの停止または低速に回転制御するため一時的に上昇する。その後、画像形成装置内部では自然冷却が行われるため、徐々に温度レベルが低下する。
【００５３】
図２８は、縦軸に冷却ファン回転数をまた横軸に時間をとり、稼働状態からスタンバイ状態に移行直後の画像形成装置で、画像形成装置内部の温度レベルが閾値に達していないときの冷却ファン回転数の時間変化を示すグラフである。冷却ファンの回転数は、画像形成装置がスタンバイ状態に移行したときに、制御手段によって停止または低速に回転制御される。したがって、画像形成装置がスタンバイ状態に移行した後は、制御手段が冷却ファンを停止または低速に回転制御するため、冷却ファンの回転数は低下している。
【００５４】
本冷却ファン制御装置によれば、画像形成装置が稼動状態からスタンバイ状態へ移行した直後の画像形成装置内部の温度レベルを検出することにより、スタンバイ状態へ移行した後に無駄に冷却ファンを回転し続けることが無くなる。すなわち、画像形成装置内部の温度が閾値に達しているときは所定時間冷却ファンを継続回転させることにより、発熱体による画像形成装置内部の温度レベルの上昇を抑制し、画像形成装置内部の温度レベルが閾値に達していないときはすぐに冷却ファンを停止もしくは低速に回転制御することができるので、第二の実施形態と比べてより早く、スタンバイ状態における騒音レベルを低減させることができる。
【００５５】
（第五の実施形態）
本願発明の、第五の実施形態に係る冷却ファン制御装置は、第四の実施形態に係る冷却ファン制御装置と同様である。
図２９は、本冷却ファン制御装置における冷却ファンの制御の手順を示すフロー図である。
画像形成装置に備えられている振動センサにより、振動レベルを検出する（Ｓ５０１）。つぎにスタンバイ判断手段は、検出した振動レベルが閾値に達しているか否かを判断する（Ｓ５０２）。ステップＳ５０２において、スタンバイ判断手段が振動センサの検出値が振動レベル閾値に達していると判断したときは（Ｓ５０２：ＮＯ）、制御手段は冷却ファンを高速回転で制御する（Ｓ５０３）。またステップＳ５０２において、画像形成装置の動作が停止すると、振動センサの検出値は振動レベル閾値以下となる（Ｓ５０２：ＹＥＳ）。ここで温度センサは画像形成装置内部の温度レベルを検出し（Ｓ５０４）、温度レベル判断手段は、所定の温度レベル（閾値）に達しているか否かを判断する（Ｓ５０５）。ステップＳ５０５において温度レベル判断手段が画像形成装置内部の温度レベルが閾値に達していないと判断したときは（Ｓ５０５：ＹＥＳ）、制御手段は、冷却ファンの回転数を停止もしくは低速に回転制御する（Ｓ５０６）。またステップＳ５０５において、温度レベル判断手段が画像形成装置内部の温度レベルが閾値に達していると判断したとき（Ｓ５０５：ＮＯ）、即ちスタンバイ判断手段がスタンバイ状態と判断し、温度レベル判断手段が画像形成装置内部の温度が閾値に達していると判断したとき、タイマーが起動し（Ｓ５０７）、所定時間（Ｔ）が経過するまで制御手段は、冷却ファンの回転数を稼働状態のときよりも高く制御し（Ｓ５０８）。所定時間（Ｔ）の経過後（Ｓ５０８：ＹＥＳ）、制御手段は冷却ファンの回転数を停止もしくは低速に回転制御する（Ｓ５０６）。
【００５６】
図３０は、縦軸に騒音レベルをまた横軸に時間をとり、稼働状態からスタンバイ状態に移行直後の画像形成装置で、画像形成装置内部の温度レベルが閾値に達しているときの画像形成装置における騒音レベルの時間変化を示すグラフである。画像形成装置の騒音レベルは、画像形成装置が稼働状態のときは高い値を示すが、スタンバイ状態に移行したときに急に低下をしている。この画像形成装置がスタンバイ状態に移行したときの騒音レベルの低下は、画像形成装置稼働部の停止によるものである。またスタンバイ状態に移行したときから所定時間（Ｔ）が経過した後の騒音レベルの低下は、冷却ファンの停止または低速回転制御によるものである。
【００５７】
図３１は、縦軸に振動レベルをまた横軸に時間をとり、稼働状態からスタンバイ状態に移行直後の画像形成装置で、画像形成装置内部の温度レベルが閾値に達しているときの画像形成装置における振動レベルの時間変化を示すグラフである。画像形成装置の振動レベルは、画像形成装置が稼働状態のときは高い値を示すが、画像形成装置がスタンバイ状態に移行したときに急に低下している。この画像形成装置がスタンバイ状態に移行したときの振動レベルの低下は、画像形成装置稼働部の停止によるものである。またスタンバイ状態に移行したときから所定時間（Ｔ）が経過した後の振動レベルの低下は、冷却ファンの停止または低速回転制御によるものである。
【００５８】
図３２は、縦軸に画像形成装置内部の温度レベルをまた横軸に時間をとり、稼働状態からスタンバイ状態に移行直後の画像形成装置で、画像形成装置内部の温度レベルが閾値に達しているときの画像形成装置内部における温度レベルの時間変化を示すグラフである。画像形成装置内部の温度レベルは、画像形成装置がスタンバイ状態に移行したときから所定時間（Ｔ）が経過するまでは、冷却ファンの回転数を画像形成装置が稼働状態のときよりも高速回転で制御をするため、大きく減少している。スタンバイ状態に移行してから所定時間（Ｔ）の経過後は、冷却ファンを停止または低速に回転制御するため、画像形成装置内部の温度レベルの低下割合は減少する。
【００５９】
図３３は、縦軸に冷却ファン回転数をまた横軸に時間をとり、稼働状態からスタンバイ状態に移行直後の画像形成装置で、画像形成装置内部の温度レベルが閾値に達しているときの冷却ファン回転数の時間変化を示すグラフである。冷却ファンの回転数は、画像形成装置がスタンバイ状態になってから所定時間（Ｔ）が経過するまで、画像形成装置が稼働状態のときよりもさらに高速回転で制御をしている。スタンバイ状態に移行してから所定時間（Ｔ）の経過後は、画像形成装置が冷却ファンを停止または低速に回転制御するため、冷却ファンの回転数は低下している。
【００６０】
図３４は、縦軸に騒音レベルをまた横軸に時間をとり、稼働状態からスタンバイ状態に移行直後の画像形成装置で、画像形成装置内部の温度レベルが閾値に達していないときの画像形成装置における騒音レベルの時間変化を示すグラフである。画像形成装置の騒音レベルは、画像形成装置が稼働状態のときは高い値を示すが、画像形成装置がスタンバイ状態に移行したときに急に騒音レベルは低下をし、殆ど騒音は発生していない。この騒音レベルの低下は、画像形成装置の稼働部の停止及び、画像形成装置がスタンバイ状態に移行後、冷却ファンの停止または低速回転の制御を行ったことによる。
【００６１】
図３５は、縦軸に振動レベルをまた横軸に時間をとり、稼働状態からスタンバイ状態に移行直後の画像形成装置で、画像形成装置内部の温度レベルが閾値に達していないときの画像形成装置における振動レベルの時間変化を示すグラフである。画像形成装置の振動レベルは、画像形成装置が稼働状態のときは高い値を示すが、画像形成装置がスタンバイ状態に移行したときに急に振動レベルは低下をし、殆ど振動は発生していない。この振動レベルの低下は、画像形成装置の稼働部の停止及び、画像形成装置がスタンバイ状態に移行後、冷却ファンの停止または低速回転の制御を行ったことによる。
【００６２】
図３６は、縦軸に画像形成装置内部の温度レベルをまた横軸に時間をとり、稼働状態からスタンバイ状態に移行直後の画像形成装置で、画像形成装置内部の温度レベルが閾値に達していないときの画像形成装置内部における温度レベルの時間変化を示すグラフである。画像形成装置内部の温度レベルは、画像形成装置がスタンバイ状態に移行したときから冷却ファンの停止または低速に回転制御するため一時的に上昇する。その後、画像形成装置内部では自然冷却が行われるため、徐々に温度が低下する。
【００６３】
図３７は、縦軸に冷却ファン回転数をまた横軸に時間をとり、稼働状態からスタンバイ状態に移行直後の画像形成装置で、画像形成装置内部の温度レベルが閾値に達していないときの冷却ファン回転数の時間変化を示すグラフである。冷却ファンの回転数は、画像形成装置がスタンバイ状態に移行したときに、停止または低速に回転制御される。したがって、画像形成装置がスタンバイ状態に移行した後は、画像形成装置が冷却ファンの回転数を停止または低速に回転制御するため低い値を示す。
【００６４】
本実施形態によれば、画像形成装置がスタンバイ状態への移行後、温度レベルが閾値に達しているときは所定時間冷却ファンを高速回転させることにより、速やかに画像形成装置内部温度を低下させることができるため、短時間で冷却ファンを停止することができる。また、画像形成装置がスタンバイ状態へ移行した後に無駄に冷却ファンを高速回転で回し続けることが無くなるため、画像形成装置内部の温度レベルが閾値に達していないときは冷却ファンを停止もしくは低速に回転制御することができるので、第三の実施形態と比べてより早く、画像形成装置がスタンバイ状態のときの騒音レベルを低減させることができる。
【００６５】
（第六の実施形態）
本願発明の、第六の実施形態に係る冷却ファン制御装置は第四の実施形態に係る冷却ファン制御装置と同様である。
図３８は、本冷却ファン制御装置における冷却ファンの制御の手順を示すフロー図である。
画像形成装置に備えられている振動センサにより、振動レベルを検出する（Ｓ６０１）。つぎにスタンバイ判断手段は、検出した振動レベルが閾値に達しているか否かを判断する（Ｓ６０２）。ステップＳ５０２において、スタンバイ判断手段が振動センサの検出値が振動レベル閾値に達していると判断したときは（Ｓ６０２：ＮＯ）、制御手段は冷却ファンを高速回転で制御する（Ｓ６０３）。またステップＳ６０２において、画像形成装置の動作が停止すると、振動センサの検出値は振動レベル閾値以下となる（Ｓ６０２：ＹＥＳ）。ここで温度センサは画像形成装置内部の温度レベルを検出し（Ｓ６０４）、温度レベル判断手段は、所定の温度レベル（閾値）に達したか否かを判断する（Ｓ６０５）。ステップＳ６０５において温度レベル判断手段が、画像形成装置内部の温度レベルが閾値に達しないと判断したときは（Ｓ６０５：ＹＥＳ）、制御手段は、冷却ファンの回転数を停止もしくは低速に回転制御する（Ｓ６０７）。またステップＳ６０５において、画像形成装置内部の温度レベルが閾値に達しているとき（Ｓ６０５：ＮＯ）、即ちスタンバイ判断手段がスタンバイ状態と判断し、温度レベル判断手段が画像形成装置内部の温度が閾値に達したと判断したときは、閾値に達しなくなるまで制御手段は、冷却ファンの回転数を稼働状態のときよりも高く制御し（Ｓ６０６）。画像形成装置内部の温度が閾値に達しなくなった後（Ｓ６０５：ＹＥＳ）、制御手段は冷却ファンの回転数を停止もしくは低速に回転制御する（Ｓ６０７）。
【００６６】
図３９は、縦軸に騒音レベルをまた横軸に時間をとり、稼働状態からスタンバイ状態に移行直後の画像形成装置で、画像形成装置内部の温度レベルが閾値に達しているときの画像形成装置における騒音レベルの時間変化を示すグラフである。画像形成装置の騒音レベルは、画像形成装置が稼働状態のときは高い値を示すが、画像形成装置がスタンバイ状態に移行したときに急に低下をしている。この画像形成装置がスタンバイ状態に移行したときの騒音レベルの低下は、画像形成装置稼働部の停止によるものである。また画像形成装置内部の温度レベルが閾値以下になった後の騒音レベルの低下は、冷却ファンの停止または低速回転制御によるものである。
【００６７】
図４０は、縦軸に振動レベルをまた横軸に時間をとり、稼働状態からスタンバイ状態に移行直後の画像形成装置で、画像形成装置内部の温度レベルが閾値に達しているときの画像形成装置における振動レベルの時間変化を示すグラフである。画像形成装置の振動レベルは、画像形成装置が稼働状態のときは高い値を示すが、画像形成装置がスタンバイ状態に移行したときに急に低下をしている。この画像形成装置がスタンバイ状態に移行したときの振動レベルの低下は、画像形成装置稼働部の停止によるものである。また画像形成装置内部の温度レベルが閾値以下になった後の振動レベルの低下は、冷却ファンの停止または低速回転制御によるものである。
【００６８】
図４１は、縦軸に画像形成装置内部の温度レベルをまた横軸に時間をとり、稼働状態からスタンバイ状態に移行直後の画像形成装置で、画像形成装置内部の温度レベルが閾値に達しているときの画像形成装置内部における温度レベルの時間変化を示すグラフである。画像形成装置内部の温度レベルは、画像形成装置がスタンバイ状態に移行したときから画像形成装置内部の温度レベルが閾値以下になるまでは、制御手段が冷却ファンの回転数を画像形成装置が稼働状態のときよりも高速回転で制御をするため、大きく減少している。画像形成装置内部の温度レベルが閾値以下になった後は、制御手段は冷却ファンを停止または低速に回転制御するため、画像形成装置内部の温度レベルの低下割合は減少する。
【００６９】
図４２は、縦軸に冷却ファン回転数をまた横軸に時間をとり、稼働状態からスタンバイ状態に移行直後の画像形成装置で、画像形成装置内部の温度レベルが閾値に達しているときの冷却ファン回転数の時間変化を示すグラフである。本実施形態では、冷却ファンの回転数をスタンバイ状態になってから画像形成装置内部の温度レベルが閾値以下になるまで、画像形成装置が稼働状態のときよりもさらに高速回転で制御をしている。画像形成装置内部の温度レベルが閾値以下になった後は、画像形成装置が冷却ファンを停止または低速に回転制御するため、冷却ファンの回転数は低下している。
【００７０】
図４３は、縦軸に騒音レベルをまた横軸に時間をとり、稼働状態からスタンバイ状態に移行直後の画像形成装置で、画像形成装置内部の温度レベルが閾値に達していないときの画像形成装置における騒音レベルの時間変化を示すグラフである。画像形成装置の騒音レベルは、画像形成装置が稼働状態のときは高い値を示すが、画像形成装置がスタンバイ状態に移行したときに急に騒音レベルは低下をし、殆ど騒音は発生していない。この騒音レベルの低下は、画像形成装置の稼働部の停止及び、画像形成装置がスタンバイ状態に移行後、冷却ファンの停止または低速回転の制御を行ったことによる。
【００７１】
図４４は、縦軸に振動レベルをまた横軸に時間をとり、稼働状態からスタンバイ状態に移行直後の画像形成装置で、画像形成装置内部の温度レベルが閾値に達していないときの画像形成装置における振動レベルの時間変化を示すグラフである。画像形成装置の振動レベルは、画像形成装置が稼働状態のときは高い値を示すが、画像形成装置がスタンバイ状態に移行したときに急に振動レベルは低下をし、殆ど振動は発生していない。この振動レベルの低下は、画像形成装置の稼働部の停止及び、画像形成装置がスタンバイ状態に移行後、冷却ファンの停止または低速回転の制御を行ったことによる。
【００７２】
図４５は、縦軸に画像形成装置内部の温度レベルをまた横軸に時間をとり、稼働状態からスタンバイ状態に移行直後の画像形成装置で、画像形成装置内部の温度レベルが閾値に達していないときの画像形成装置内部における温度レベルの時間変化を示すグラフである。画像形成装置内部の温度レベルは、画像形成装置がスタンバイ状態に移行したときから冷却ファンの停止または低速に回転制御するため一時的に上昇する。その後、画像形成装置内部では自然冷却が行われるため、徐々に温度レベルが低下する。
【００７３】
図４６は、縦軸に冷却ファン回転数をまた横軸に時間をとり、稼働状態からスタンバイ状態に移行直後の画像形成装置で、画像形成装置内部の温度レベルが閾値に達していないときの冷却ファン回転数の時間変化を示すグラフである。冷却ファンの回転数は、画像形成装置がスタンバイ状態に移行したときに、停止または低速に回転制御される。したがって、画像形成装置がスタンバイ状態に移行した後は、制御手段が冷却ファンを停止または低速に回転制御しているため低い値を示す。
【００７４】
本実施形態によれば、画像形成装置がスタンバイ状態への移行直後に画像形成装置内部の温度レベルが閾値に達しているときは、制御手段が冷却ファンを高速回転させることにより、速やかに画像形成装置内部温度を低下させることができるため、短時間で冷却ファンを停止することができる。また、この冷却ファンの高速回転制御は、画像形成装置内部の温度レベルが所定の温度レベルに達しなくなるまでの時間となる。したがって、第五の実施形態と比べてスタンバイ状態へ移行直後に行う冷却ファンの高速回転制御の時間を短縮することができる。また、画像形成装置がスタンバイ状態への移行直後に画像形成装置内部の温度レベルが閾値に達していないとき、冷却ファンを停止することにより無駄に冷却ファンを回転させ続けることなく、速やかにスタンバイ状態における騒音レベルを低減することができる。
【００７５】
本発明は、以上で説明した冷却ファン制御を実行するためのプログラムを、ＡＳＩＣのプロセッサ及びＲＡＭ、ＲＯＭで構成するコンピュータで実行させることで、上記コンピュータを上記振動レベル判断手段、温度レベル判断手段、スタンバイ判断手段、及び制御手段として機能させることができる。
また、上記プログラムは、コンピュータ読み取り可能な周知の記録媒体に記録して提供することができる。
【００７６】
なお、以上の説明では、冷却ファン制御装置における冷却対象機器は、画像形成装置であるとして説明したが、冷却ファンで冷却を要する機器であれば必ずしも画像形成装置に限定されない。
【図面の簡単な説明】
【００７７】
【図１】振動センサに基づいてスタンバイ状態を判断し、冷却ファンを制御するための冷却ファン制御装置のブロック図である。
【図２】図２は、図１に示す冷却ファン制御装置を画像形成装置のコントローラに接続した場合の構成を示すブロック図である。
【図３】第一の実施形態の冷却ファン制御装置における冷却ファンの制御の手順を示すフロー図である。
【図４】第一の実施形態における画像形成装置の騒音レベルの時間変化を示すグラフである。
【図５】第一の実施形態における画像形成装置の振動レベルの時間変化を示すグラフである。
【図６】第一の実施形態における画像形成装置内部の温度レベルの時間変化を示すグラフである。
【図７】第一の実施形態における画像形成装置に備えられた冷却ファンの回転数の時間変化を示すグラフである。
【図８】第二の実施形態の冷却ファン制御装置における冷却ファンの制御の手順を示すフロー図である。
【図９】第二の実施形態における画像形成装置の騒音レベルの時間変化を示すグラフである。
【図１０】第二の実施形態における画像形成装置の振動レベルの時間変化を示すグラフである。
【図１１】第二の実施形態における画像形成装置内部の温度レベルの時間変化を示すグラフである。
【図１２】第二の実施形態における画像形成装置に備えられた冷却ファン回転数の時間変化を示すグラフである。
【図１３】第三の実施形態の冷却ファン制御装置における冷却ファンの制御の手順を示すフロー図である。
【図１４】第三の実施形態における画像形成装置の騒音レベルの時間変化を示すグラフである。
【図１５】第三の実施形態における画像形成装置の振動レベルの時間変化を示すグラフである。
【図１６】第三の実施形態における画像形成装置内部の温度レベルの時間変化を示すグラフである。
【図１７】第三の実施形態における画像形成装置に備えられた冷却ファン回転数の時間変化を示すグラフである。
【図１８】図１に示す冷却ファン制御装置に、さらに画像形成装置内部の温度を検出する温度センサを付加した冷却ファン制御装置のブロック図である。
【図１９】画像形成装置のコントローラに図１８に示す冷却ファン制御装置を接続した構成を示すブロック図である
【図２０】第四の実施形態の冷却ファン制御装置における冷却ファンの制御の手順を示すフロー図である。
【図２１】第四の実施形態における稼働状態からスタンバイ状態に移行直後の画像形成装置で、画像形成装置内部の温度レベルが閾値に達しているときの画像形成装置の騒音レベルの時間変化を示すグラフである。
【図２２】第四の実施形態における稼働状態からスタンバイ状態に移行直後の画像形成装置で、画像形成装置内部の温度レベルが閾値に達しているときの画像形成装置の振動レベルの時間変化を示すグラフである。
【図２３】第四の実施形態における稼働状態からスタンバイ状態に移行直後の画像形成装置で、画像形成装置内部の温度レベルが閾値に達しているときの画像形成装置内部の温度レベルの時間変化を示すグラフである。
【図２４】第四の実施形態における稼働状態からスタンバイ状態に移行直後の画像形成装置で、画像形成装置内部の温度レベルが閾値に達しているときの画像形成装置に備えられた冷却ファン回転数の時間変化を示すグラフである。
【図２５】第四の実施形態における稼働状態からスタンバイ状態に移行直後の画像形成装置で、画像形成装置内部の温度レベルが閾値に達していないときの画像形成装置の騒音レベルの時間変化を示すグラフである。
【図２６】第四の実施形態における稼働状態からスタンバイ状態に移行直後の画像形成装置で、画像形成装置内部の温度レベルが閾値に達していないときの画像形成装置の振動レベルの時間変化を示すグラフである。
【図２７】第四の実施形態における稼働状態からスタンバイ状態に移行直後の画像形成装置で、画像形成装置内部の温度レベルが閾値に達していないときの画像形成装置内部の温度レベルの時間変化を示すグラフである。
【図２８】第四の実施形態における稼働状態からスタンバイ状態に移行直後の画像形成装置で、画像形成装置内部の温度レベルが閾値に達していないときの画像形成装置に備えられた冷却ファン回転数の時間変化を示すグラフである。
【図２９】第五の実施形態の冷却ファン制御装置における冷却ファンの制御の手順を示すフロー図である。
【図３０】第五の実施形態における稼働状態からスタンバイ状態に移行直後の画像形成装置で、画像形成装置内部の温度レベルが閾値に達しているときの画像形成装置の騒音レベルの時間変化を示すグラフである。
【図３１】第五の実施形態における稼働状態からスタンバイ状態に移行直後の画像形成装置で、画像形成装置内部の温度レベルが閾値に達しているときの画像形成装置の振動レベルの時間変化を示すグラフである。
【図３２】第五の実施形態における稼働状態からスタンバイ状態に移行直後の画像形成装置で、画像形成装置内部の温度レベルが閾値に達しているときの画像形成装置内部の温度レベルの時間変化を示すグラフである。
【図３３】第五の実施形態における稼働状態からスタンバイ状態に移行直後の画像形成装置で、画像形成装置内部の温度レベルが閾値に達しているときの画像形成装置に備えられた冷却ファン回転数の時間変化を示すグラフである。
【図３４】第五の実施形態における稼働状態からスタンバイ状態に移行直後の画像形成装置で、画像形成装置内部の温度レベルが閾値に達していないときの画像形成装置の騒音レベルの時間変化を示すグラフである。
【図３５】第五の実施形態における稼働状態からスタンバイ状態に移行直後の画像形成装置で、画像形成装置内部の温度レベルが閾値に達していないときの画像形成装置の振動レベルの時間変化を示すグラフである。
【図３６】第五の実施形態における稼働状態からスタンバイ状態に移行直後の画像形成装置で、画像形成装置内部の温度レベルが閾値に達していないときの画像形成装置内部の温度レベルの時間変化を示すグラフである。
【図３７】第五の実施形態における稼働状態からスタンバイ状態に移行直後の画像形成装置で、画像形成装置内部の温度レベルが閾値に達していないときの画像形成装置に備えられた冷却ファン回転数の時間変化を示すグラフである。
【図３８】第六の実施形態の冷却ファン制御装置における冷却ファンの制御の手順を示すフロー図である。
【図３９】第六の実施形態における稼働状態からスタンバイ状態に移行直後の画像形成装置で、画像形成装置内部の温度レベルが閾値に達しているときの画像形成装置の騒音レベルの時間変化を示すグラフである。
【図４０】第六の実施形態における稼働状態からスタンバイ状態に移行直後の画像形成装置で、画像形成装置内部の温度レベルが閾値に達しているときの画像形成装置の振動レベルの時間変化を示すグラフである。
【図４１】第六の実施形態における稼働状態からスタンバイ状態に移行直後の画像形成装置で、画像形成装置内部の温度レベルが閾値に達しているときの画像形成装置内部の温度レベルの時間変化を示すグラフである。
【図４２】第六の実施形態における稼働状態からスタンバイ状態に移行直後の画像形成装置で、画像形成装置内部の温度レベルが閾値に達しているときの画像形成装置に備えられた冷却ファン回転数の時間変化を示すグラフである。
【図４３】第六の実施形態における稼働状態からスタンバイ状態に移行直後の画像形成装置で、画像形成装置内部の温度レベルが閾値に達していないときの画像形成装置の騒音レベルの時間変化を示すグラフである。
【図４４】第六の実施形態における稼働状態からスタンバイ状態に移行直後の画像形成装置で、画像形成装置内部の温度レベルが閾値に達していないときの画像形成装置の振動レベルの時間変化を示すグラフである。
【図４５】第六の実施形態における稼働状態からスタンバイ状態に移行直後の画像形成装置で、画像形成装置内部の温度レベルが閾値に達していないときの画像形成装置内部の温度レベルの時間変化を示すグラフである。
【図４６】第六の実施形態における稼働状態からスタンバイ状態に移行直後の画像形成装置で、画像形成装置内部の温度レベルが閾値に達していないときの画像形成装置に備えられた冷却ファン回転数の時間変化を示すグラフである。
【図４７】従来の冷却方式における画像形成装置の画像形成装置の騒音レベルの時間変化を示すグラフである。
【図４８】従来の冷却方式における画像形成装置内部の温度レベルの時間変化を示すグラフである。
【図４９】従来の冷却方式における画像形成装置に備えられた冷却ファンの回転数の時間変化を示すグラフである。
【図５０】特許文献１に記載された装置における画像形成装置の騒音レベルの時間変化を示すグラフである。
【図５１】特許文献１に記載された装置における画像形成装置の温度レベルの時間変化を示すグラフである。
【図５２】特許文献１に記載された装置における画像形成装置に備えられた冷却ファンの回転数の時間変化を示すグラフである。
【符号の説明】
【００７８】
１・・・振動センサ、２・・・冷却ファン制御部、３・・・冷却ファン、４・・・ＣＰＵ、５・・・制御用ＡＳＩＣ、６・・・入力ポート、７・・・出力ポート、８・・・ＲＯＭ、９・・・ＲＡＭ、１０・・・エンジンインターフェース、１１・・・冷却ファン
ＯＮ／ＯＦＦ回路、１２・・・ＨＯＳＴインターフェース、１３・・・温度センサ。
【図１】
2009210665.tif 000003
【図２】
2009210665.tif 000004
【図３】
2009210665.tif 000005
【図４】
2009210665.tif 000006
【図５】
2009210665.tif 000007
【図６】
2009210665.tif 000008
【図７】
2009210665.tif 000009
【図８】
2009210665.tif 000010
【図９】
2009210665.tif 000011
【図１０】
2009210665.tif 000012
【図１１】
2009210665.tif 000013
【図１２】
2009210665.tif 000014
【図１３】
2009210665.tif 000015
【図１４】
2009210665.tif 000016
【図１５】
2009210665.tif 000017
【図１６】
2009210665.tif 000018
【図１７】
2009210665.tif 000019
【図１８】
2009210665.tif 000020
【図１９】
2009210665.tif 000021
【図２０】
2009210665.tif 000022
【図２１】
2009210665.tif 000023
【図２２】
2009210665.tif 000024
【図２３】
2009210665.tif 000025
【図２４】
2009210665.tif 000026
【図２５】
2009210665.tif 000027
【図２６】
2009210665.tif 000028
【図２７】
2009210665.tif 000029
【図２８】
2009210665.tif 000030
【図２９】
2009210665.tif 000031
【図３０】
2009210665.tif 000032
【図３１】
2009210665.tif 000033
【図３２】
2009210665.tif 000034
【図３３】
2009210665.tif 000035
【図３４】
2009210665.tif 000036
【図３５】
2009210665.tif 000037
【図３６】
2009210665.tif 000038
【図３７】
2009210665.tif 000039
【図３８】
2009210665.tif 000040
【図３９】
2009210665.tif 000041
【図４０】
2009210665.tif 000042
【図４１】
2009210665.tif 000043
【図４２】
2009210665.tif 000044
【図４３】
2009210665.tif 000045
【図４４】
2009210665.tif 000046
【図４５】
2009210665.tif 000047
【図４６】
2009210665.tif 000048
【図４７】
2009210665.tif 000049
【図４８】
2009210665.tif 000050
【図４９】
2009210665.tif 000051
【図５０】
2009210665.tif 000052
【図５１】
2009210665.tif 000053
【図５２】
2009210665.tif 000054